【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
計算デバイスを使用して心律動障害に関連付けられる心臓信号を処理する方法において、前記計算デバイスが、
前記心律動障害に関連付けられる根源であって、形状の上または形状の内部で空間的に移行する根源によって画定される領域に関連する形状を決定し、
前記形状の近位の少なくとも一部分であって、前記根源の移行と関連付けられる少なくとも一部分を識別することを特徴とする方法。
【請求項２】
請求項１に記載の方法において、前記根源が、前記心律動障害を引き起こすことを特徴とする方法。
【請求項３】
請求項１に記載の方法において、識別された一部分が、前記形状の内部または前記形状の上の少なくとも一方にあることを特徴とする方法。
【請求項４】
請求項１に記載の方法において、識別された一部分が、前記形状の外側にあることを特徴とする方法。
【請求項５】
請求項１に記載の方法において、識別された第１の部分が、前記形状の内部または前記形状の上の少なくとも一方にあり、識別された第２の部分が、前記形状の外側にあることを特徴とする方法。
【請求項６】
請求項１に記載の方法において、空間的に移行する前記根源が、
前記形状の内部または前記形状の上で移行するパルス発生源、
前記形状の内部または前記形状の上で複数の励起波を発生する固定パルス発生源、および
前記形状の内部または前記形状の上で複数の励起波を発生する少なくとも１つのリエントリパルス発生源
の１つを含むことを特徴とする方法。
【請求項７】
請求項１に記載の方法において、前記形状が、
前記領域に関連する少なくとも１つの空間点であって、前記根源に関連付けられる少なくとも１つの空間点を、ある時点に識別し、
前記心臓信号における１つまたは複数の心臓活性化に関連付けられる複数の時点にわたって、前記少なくとも１つの空間点の移行を追跡して、複数の空間点を定義し、
前記複数の空間点をつないで、少なくとも１つの経路を形成し、
前記少なくとも１つの経路の周りで前記形状を画定する
前記計算デバイスによって決定されることを特徴とする方法。
【請求項８】
請求項１に記載の方法において、さらに、前記計算デバイスが、前記根源の空間的な移行に関連付けられる幅、高さ、深さ、および組織タイプの１つまたは複数に基づいて前記形状を洗練することを含むことを特徴とする方法。
【請求項９】
請求項１に記載の方法において、前記心律動障害が、心房細動、心室細動、心房頻拍、心房粗動、心室頻拍、心室粗動、または心臓内の他の電気的な障害の１つまたは複数を含むことを特徴とする方法。
【請求項１０】
請求項１に記載の方法において、前記領域が、心臓、心臓の領域に分布する神経、神経を制御する脳の領域、心臓の領域に分布する血管、および心臓に隣接する組織の１つまたは複数に関連付けられることを特徴とする方法。
【請求項１１】
心律動障害に関連付けられた信号を処理するためのシステムにおいて、
少なくとも１つの計算デバイスを備え、前記計算デバイスが、
前記心律動障害に関連付けられる根源であって、形状の上または形状の内部で空間的に移行する根源によって画定される領域に関連する形状を決定し、
前記形状の近位の少なくとも一部分であって、前記根源の移行に関連付けられる少なくとも一部分を識別する
ように構成されることを特徴とするシステム。
【請求項１２】
請求項１１に記載のシステムにおいて、前記根源が、前記心律動障害を引き起こすことを特徴とするシステム。
【請求項１３】
請求項１１に記載のシステムにおいて、識別された一部分が、前記形状の内部または前記形状の上の少なくとも一方にあることを特徴とするシステム。
【請求項１４】
請求項１１に記載のシステムにおいて、識別された一部分が、前記形状の外側にあることを特徴とするシステム。
【請求項１５】
請求項１１に記載のシステムにおいて、識別された第１の部分が、前記形状の内部または前記形状の上の少なくとも一方にあり、識別された第２の部分が、前記形状の外側にあることを特徴とするシステム。
【請求項１６】
請求項１１に記載のシステムにおいて、空間的に移行する前記根源が、
前記形状の内部または前記形状の上で移行するパルス発生源、
前記形状の内部または前記形状の上で複数の励起波を発生する固定パルス発生源、および
前記形状の内部または前記形状の上で複数の励起波を発生する少なくとも１つのリエントリパルス発生源
の１つを含むことを特徴とするシステム。
【請求項１７】
請求項１１に記載のシステムにおいて、前記形状を決定するために、前記少なくとも１つの計算デバイスが、
前記領域に関連する少なくとも１つの空間点であって、前記根源に関連付けられる少なくとも１つの空間点をある時点に識別し、
前記心臓信号における１つまたは複数の心臓活性化に関連付けられる複数の時点にわたって、前記少なくとも１つの空間点の移行を追跡して、複数の空間点を定義し、
前記複数の空間点をつないで、少なくとも１つの経路を形成し、
前記少なくとも１つの経路の周りで前記形状を画定する
ように構成されることを特徴とするシステム。
【請求項１８】
請求項１１に記載のシステムにおいて、さらに、前記少なくとも１つの計算デバイスが、前記根源の空間的な移行に関連付けられる幅、高さ、深さ、および組織タイプの１つまたは複数に基づいて前記形状を洗練するように構成されることを特徴とするシステム。
【請求項１９】
請求項１１に記載のシステムにおいて、前記心律動障害が、心房細動、心室細動、心房頻拍、心房粗動、心室頻拍、心室粗動、または心臓内の他の電気的な障害の１つまたは複数を含むことを特徴とするシステム。
【請求項２０】
請求項１１に記載のシステムにおいて、前記領域が、心臓、心臓の領域に分布する神経、神経を制御する脳の領域、心臓の領域に分布する血管、および心臓に隣接する組織の１つまたは複数に関連付けられることを特徴とするシステム。
【請求項２１】
請求項１１に記載のシステムにおいて、さらに、前記少なくとも１つの計算デバイスによって識別された前記少なくとも一部分に関連する前記領域を修正するように構成されたカテーテルを備えることを特徴とするシステム。
【請求項２２】
請求項１１に記載のシステムにおいて、さらに、前記少なくとも１つの計算デバイスによって識別された複数の部分のうちの１つまたは複数の部分に関連する前記領域を選択的に修正するように構成されたカテーテルを備えることを特徴とするシステム。
【請求項２３】
請求項１１に記載のシステムにおいて、前記カテーテルが、
第１の空間的関係での複数のセンサと、
回路とを備え、前記回路が、
前記形状と、前記形状の近位の前記少なくとも一部分との少なくとも一方を示すデータを、前記少なくとも１つの計算デバイスから受信し、
前記形状と、前記形状の近位の前記少なくとも一部分との少なくとも一方を近似するために、前記データに基づいて、前記複数のセンサの前記第１の空間的関係を第２の空間的関係に調節する
ように構成されることを特徴とするシステム。
【請求項２４】
請求項１１に記載のシステムにおいて、前記少なくとも１つの計算デバイスが、命令を備えるコンピュータ可読媒体を備えており、前記命令が、前記少なくとも１つの計算デバイスによって実行されるときに、
前記形状を決定すること、および
前記形状の近位の前記少なくとも一部分を識別すること
を前記少なくとも１つの計算デバイスに行わせることを特徴とするシステム。
【請求項２５】
計算デバイスを使用して生物学的律動障害に関連付けられる信号を処理する方法において、前記計算デバイスが、
ネットワークを介して第２の計算デバイスから信号を受信し、
前記信号を処理して、前記生物学的律動障害に関連付けられる根源であって、形状の上または形状の内部で空間的に移行する根源によって画定される領域に関連する形状を決定し、
前記形状の近位の少なくとも一部分であって、前記根源の移行と関連付けられる少なくとも一部分を識別し、
前記ネットワークを介して、前記第２の計算デバイスにデータを伝送し、前記データが、前記形状と、前記形状の近位の前記少なくとも一部分との少なくとも一方を示す
ことを特徴とする方法。
【請求項２６】
生物学的律動障害に関連付けられる信号を処理するためのシステムにおいて、
計算デバイスを備え、前記計算デバイスが、
前記信号を第２の計算デバイスからネットワークを介して受信し、
前記信号を処理して、前記生物学的律動障害に関連付けられる根源であって、形状の上または形状の内部で空間的に移行する根源によって画定される領域に関連する形状を決定し、
前記形状の近位の少なくとも一部分であって、前記根源の移行と関連付けられる少なくとも一部分を識別し、
前記ネットワークを介して第２の計算デバイスにデータを伝送するように構成され、前記データが、前記形状と、前記形状の近位の前記少なくとも一部分との少なくとも一方を示す
ように構成されることを特徴とするシステム。